(57)【要約】【課題】時計外装とカバー部材とが金属で構成されており、かつ裏蓋などのカバー部材はスクリュー式であり、受信感度の高い電波修正腕時計を提供すること。【解決手段】裏蓋の外部に外延部を有し、時計外装と独立した枠部材を有し、時計外装は、ネジ機構部により枠部材と嵌合し、これにより外延部を挟みこむ。外延部と時計外装と、外延部と枠部材とは、それぞれ絶縁体を介して接触している。カバー部材を裏蓋とすると、この構成によって、時計外装と裏蓋とを電気的に絶縁することができつつ、金属で構成されたスクリュー式裏蓋を採用した場合と同様の防水性，強度，メンテナンス性，美観を備えた電波修正時計と提供することができる。【選択図】図１
2008076327.tif 000002
【特許請求の範囲】
【請求項１】
時刻表示手段と時計動作に必要な回路基板と電波を受信するためのアンテナとを前記時計外装に搭載する電波修正時計であって、
前記時計外装に設ける開口部をカバーするカバー部材を有し、
前記カバー部材の外縁部には、その外部方向に向かって突出する外延部と、前記時計外装とは独立している部材で構成する枠部材とを備え、
前記時計外装は、ネジ機構によって前記枠部材と嵌合するとともに、前記時計外装と前記枠部材とにより前記外延部を挟み込んで前記開口部をカバーし、
前記外延部と前記時計外装とは、第１の絶縁手段により絶縁しており、前記外延部と前記枠部材とは、第２の絶縁手段により絶縁していることを特徴とする電波修正時計。
【請求項２】
前記第１の絶縁手段と前記第２の絶縁手段とは、それぞれ互いに異なる絶縁手段であることを特徴とする請求項１に記載の電波修正時計。
【請求項３】
前記第１の絶縁手段は、Ｏリングであり、前記第２の絶縁手段は、フィルム形状の絶縁シートまたは絶縁板であることを特徴とする請求項２に記載の電波修正時計。
【発明の詳細な説明】
【技術分野】
【０００１】
本発明は、時刻情報を含む所定の電波を受信し、その情報に基づいて時刻を修正する機能を有する電波修正時計に関し、特に腕時計型の電波修正時計に関するものである。
【背景技術】
【０００２】
電波修正時計は、１００万年に１秒の精度を持つセシウム原子時計による時刻情報や日付情報を含む標準電波（例えば、４０ｋＨｚの電波）を内蔵するアンテナで受信し、時刻の誤差を修正する機能を具備している時計である。このため、一ヶ月あたり２０秒程度の誤差が生じるクォーツ時計と比べて常時正確な時刻を表示することが可能であり、時刻修正の手間を省くことができるため、近年急速に普及しつつある。
【０００３】
電波修正時計において、受信性能を決めるのは、アンテナ特性と受信回路特性とである。
受信アンテナの種類としては、標準電波の波長が５ｋｍ前後と長く、腕時計内部において波長方向による共振を行うことが難しいため、強磁性体コアに導線を巻き付けたコイル状のバーアンテナを用いるのが一般的である。このバーアンテナを透過する磁束によってコイルに起電力を得る。
【０００４】
受信回路は、受信アンテナの出力を元に時刻情報を検知し、時計用ムーブメントに伝えるものである。時計用ムーブメントとは、電池や時計動作に必要な計時回路などの回路要素を１ユニットにまとめた複合部品をいう。場合によっては、文字盤や液晶表示装置などの時刻表示手段も含むこともある。
【０００５】
腕時計型の電波修正時計は、時計としての機能のほかに趣向品としての役割も持つことから、デザインや質感は重要である。特に時計としての高級感は重要な要素であり、時計本体の外装を金属で構成する金属外装が望まれている。
【０００６】
しかしながら、受信アンテナの出力は、金属外装に収納すると極端に低下してしまう。これは、金属外装表面で渦電流が生じ、標準電波が時計内部に入りにくくなること、アンテナに流れる電流によって発生する磁束が、金属外装表面で発生する渦電流による反磁束によって妨げられることとで、受信アンテナに流れる電流が妨げられるためである。
【０００７】
特に、時計外装と裏蓋とが金属で構成されていて、互いに電気的に導通している場合にこの効果は顕著である。これは外部磁束に対する渦電流が主に裏蓋を流れることで時計外装と裏蓋とが磁束にとって一体化した障害物となるためである。
【０００８】
そのため、多くの場合、ネジ止めするなどして裏蓋と時計外装との電気的な結合度を低下させる方法や、裏蓋をガラスやプラスチックのような絶縁体で構成する方法が用いられる。
【０００９】
しかしながら、裏蓋と時計外装の結合度が低下することは、時計としての防水性や強度を低下させることでもあり、本来望ましくない。
また、裏蓋を絶縁体で構成することは、腕時計の趣向品としての観点から、裏蓋の材質が固定されてしまうことはデザイン上の制約を課すことにもなるので、あまり好ましくない。
さらに、裏蓋をガラスやプラスチックのような絶縁材で構成すると、一般的に金属より強度が不足するため、裏蓋の厚みを増さざるを得ず、結果として時計全体が分厚くなり、
小型軽量が望まれる昨今の携帯機器の流れに逆行するため、これも好ましくはないのである。
【００１０】
腕時計の裏蓋の中で特に高級機種に好んで用いられるのは、裏蓋そのものが巨大なネジとなり時計外装に強固に嵌合するスクリュー式裏蓋である。裏蓋を金属で構成すれば、スクリュー式裏蓋は、高い美観，防水性，強度，メンテナンス性を同時に持つことのできる優れた構成となるのである。
【００１１】
しかしながら、スクリュー式裏蓋は、時計外装と裏蓋とがネジ機構部を通じて強固に結合するため、渦電流の発生が大きく、電波修正時計の感度を確保するという点では好ましくない。
【００１２】
従来から知られている時計外装と裏蓋との接合技術は、一般的な時計に用いる技術であるが、特に電波修正時計にも利用されているものがある。すなわち、時計外装と裏蓋とを電気的に絶縁することができる技術であって、その部分において、渦電流の発生を和らげ、感度向上を図れるものがある（例えば、特許文献１参照。）。
【００１３】
図４は、特許文献１に示した従来技術を説明するための図であって、説明しやすいようにその主旨を逸脱しないように書き直したものであり、側面から見たときの様子を模式的に示す断面図である。
図４（ａ）は特許文献１に示した従来技術、図４（ｂ）は特許文献１に示した従来技術を電波修正時計に転用する例を示すものである。
図４において、１は時計外装、２は裏蓋、１０はネジ機構部、１０３は外部保持部材、１０４は保持リング、１０５はパッキン、１０６は内部保持部材、１０９は絶縁シートである。
【００１４】
図４（ａ）において、裏蓋２を締め付けると、これとネジ機構部１０によって嵌合する内部保持部材１０６と裏蓋２とによって保持リング１０４と外部保持部材１０３とを、パッキン１０５を介して挟み込む構造となり、防水性を得ることができる。
【００１５】
図４（ｂ）に示したように、時計外装１と内部保持部材１０６との接触面、および時計外装１と外部保持部材１０３との接触面に絶縁材からなる絶縁シート１０９を挿入して、保持リング１０４を絶縁材で構成すると、この技術を電波修正時計に転用することができる。
【００１６】
すなわち、このようにすると、裏蓋２を締め付けた際に、時計外装１と内部保持部材１０６とは絶縁され、同じく外部保持部材１０３と時計外装１とは絶縁されることになり、裏蓋２と時計外装１とは電気的に絶縁されるため、渦電流が時計外装１と裏蓋２との間で流れるのを防ぐことができるのである。
【００１７】
【特許文献１】実開昭５５−９７５８５号公報（第３頁、第１図）
【発明の開示】
【発明が解決しようとする課題】
【００１８】
特許文献１に示した従来技術を電波修正時計に転用すると、時計外装１と裏蓋２とが電気的に導通するのを防ぐことはできるのであるが、このようにすると内部保持部材１０６が時計外装１内部で大きなスペースを取ることになってしまい、時計全体が不必要に大型化してしまう。
さらに、このような構成では時計外装全体を構成する部品の数が非常に多くなり、製造上およびメンテナンス上においても好ましくない。
【００１９】
以上の説明で明らかなように、特許文献１に示した従来技術では、時計内部のスペースを広く取り、メンテナンスの容易な時計を作るという観点からは不十分なのである。
したがって、スクリュー式裏蓋と同等のメンテナンス性，強度，防水性を持ち十分な受信性能を持ち、時計外装を構成する部品点数が少なく、従来の時計と同様に時計外装内部のスペースを広く取れて、時計外装および裏蓋が金属で構成されている腕時計型の電波修正時計は強く望まれていた。
【００２０】
本発明の技術的な課題は、このような問題を解決し、金属で構成されるスクリュー式裏蓋を持つ時計と同等のメンテナンス性、強度、防水性を持ちながら、時計内部構造に影響を与えず部品点数の少ない時計外装を持ちつつ、充分な標準電波の受信レベルを確保し得る電波修正時計を提供することにある。
【課題を解決するための手段】
【００２１】
上記した目的を達するため、本発明の電波修正時計は、以下に示す構成を採用する。
【００２２】
時刻表示手段と時計動作に必要な回路基板と電波を受信するためのアンテナとを時計外装に搭載する電波修正時計であって、
時計外装に設ける開口部をカバーするカバー部材を有し、
カバー部材の外縁部には、その外部方向に向かって突出する外延部と、時計外装とは独立している部材で構成する枠部材とを備え、
時計外装は、ネジ機構によって枠部材と嵌合するとともに、時計外装と枠部材とにより外延部を挟み込んで開口部をカバーし、
外延部と時計外装とは、第１の絶縁手段により絶縁しており、外延部と枠部材とは、第２の絶縁手段により絶縁していることを特徴とする。
【００２３】
第１の絶縁手段と第２の絶縁手段とは、それぞれ互いに異なる絶縁手段であることを特徴とする。
【００２４】
第１の絶縁手段は、Ｏリングであり、第２の絶縁手段は、フィルム形状の絶縁シートまたは絶縁板であることを特徴とする。
【発明の効果】
【００２５】
本発明の電波修正時計は、時計外装と独立した枠部材を有し、時計外装は、ネジ機構部により枠部材と嵌合し、これによりカバー部材に設けられた外延部を挟みこむ。外延部と時計外装と、外延部と枠部材とは、それぞれ絶縁体を介して接触している。
カバー部材を裏蓋とすると、この構成によって、時計外装と裏蓋とを電気的に完全に絶縁することができつつ、また、部品点数を増やさず、かつ時計外装内部に影響を与えることなしに金属製のスクリュー式裏蓋を用いた場合と同様の恩恵を受けることができる。
したがって、電波修正時計のデザインの自由度，強度，防水性，メンテナンス性を向上しつつも感度を高めることができる。
【発明を実施するための最良の形態】
【００２６】
本発明の電波修正時計に用いるカバー部材は、その外部に突き出る外延部を持つ。そして、この外延部と時計外装とは第１の絶縁手段を介して接触し、また、外延部は、時計外装とネジ機構部により嵌合した枠部材と第２の絶縁手段を介して接触している。
時計外装の開口部とは、裏蓋を装着する部分を例にし、カバー部材は、その裏蓋を例にして説明する。第１の絶縁手段はＯリング、第２の絶縁手段は、フィルム形状の絶縁シートを例にして説明する。
【実施例】
【００２７】
［ケースの構造の説明：図１］
以下図面を用いて本発明の電波修正時計について説明する。図１は、本発明の電波修正時計の構造を説明するものである。時計を側面から見たときの様子を模式的に示す断面図であって、とくに時計外装と裏蓋とが接続する部分を拡大している。特に断りがないときを除き、図面の上方に文字盤や液晶表示装置などの報知手段が設けるが、説明しやすいようにそれらは省略してある。
【００２８】
図１において、１は時計外装、２はカバー部材である裏蓋、３は枠部材、４は第１の絶縁手段であるＯリング、５はＯリング４のツバ、８は裏蓋２の外延部、９は第２の絶縁手段である絶縁シート、１０はネジ機構部である。
時計外装１，裏蓋２，枠部材３は全て金属で構成している。一方、Ｏリング４，Ｏリングのツバ５，絶縁シート９は全て絶縁体で構成している。
【００２９】
裏蓋２は、その外縁部に裏蓋２の外部方向に突き出る外延部８を有している。この外延部８と時計外装１とはＯリング４を介して接触している。また、外延部８は、時計外装１とネジ機構部１０により嵌合した枠部材３と絶縁シート９を介して接触している。
時計外装１の開口部から裏蓋２を装着して、さらに絶縁シート９および枠部材３を装着すると、時計外装１のネジ機構部１０により枠部材３が噛み合い、枠部材３は時計外装１の方向に締め付けられる。枠部材３と時計外装１との間には外延部８があるから、時計外装１と枠部材３とはこの外延部８を双方で締め付ける。
これら時計外装１，枠部材３，外延部８はそれぞれ互いにＯリング４と絶縁シート９とで絶縁している。
【００３０】
時計外装１と外延部８とは、特にＯリング４がツバ５を持つことで、裏蓋２が時計外装１に完全に装着されても時計外装１と裏蓋２とは直接接触することはないのである。また、外延部８と枠部材３とも、絶縁シート９によって隔てられており、直接接触することはない。
【００３１】
絶縁シート９の材質としては、耐圧縮性や耐摩耗性に富む絶縁材が適している。特に限定しないが、例えば、ビニルフィルムなどを用いることができる。
もちろん、第２の絶縁手段は、プラスチックなどの絶縁体で構成する絶縁板であってもかまわない。
【００３２】
このような構成とすることで、枠部材３を締め付けた場合、裏蓋２と時計外装１とはＯリング４によって互いに電気的に絶縁されつつ、時計外装１と枠部材３とは、裏蓋２の外延部８を挟み互いに締め付けられ、固定される。強度の高い金属からなる外延部８を金属製の時計外装１と枠部材３とで挟み込む形となっているため強度的にも高い。また、ネジ嵌合になっているうえに全ての部品を裏蓋側から外すことができるためにメンテナンス性も高い。
【００３３】
さらに、時計外装１内部の構造に対してネジ機構部１０を作成する以外の影響を与えないために、時計外装１内部の設計を従来と全く同様に行うことができて、従来のスクリュー式裏蓋と全く同じ恩恵を受けることができるのである。
【００３４】
防水性能を決定付けるＯリング４は弾性体であり、裏蓋２の開け閉めの際の劣化や経年劣化が避けられないため容易に取り外しできることが望ましいが、絶縁シート９はあくまで外延部８と枠部材３とを電気的に導通させないために存在しているのであるから、Ｏリング４のように高い弾性を示す必要はなく、裏蓋２の開け閉めの際にも大きく変形することがないため劣化することもなく、容易に取り外しできなくても構わない。そのため、枠
部材３と絶縁シート９と、絶縁シート９と外延部８とは互いに接着されていてもかまわない。
【００３５】
このようにすると、枠部材３と絶縁シート９と裏蓋２とが一体化されるためにメンテナンスの際の実質的な部品点数を減らすことができて、また、裏蓋の開け閉めの際に枠部材３と絶縁シート９、絶縁シート９と外延部８とが互いに擦れあうことを防ぐことができるので絶縁シート９の寿命が向上するのである。
【００３６】
また、枠部材３をプラスチックなどの絶縁部材にすれば、電気的には絶縁シート９は必要なくなり部品点数が減少するため製造が容易になる。しかしながらその場合は、枠部材３の強度が低下し時計外装１との嵌合強度が低下するばかりか、メンテナンスの際にネジ機構部１０の噛み合わせが緩くなるなどの劣化が発生していくため、時計の性能という観点からは望ましくないのである。
【００３７】
［Ｏリングと絶縁シートの形状の説明；図２］
Ｏリング４，ツバ５，絶縁シート９は、すでに説明した形状に限定されるものではない。時計外装１と裏蓋２、枠部材３と裏蓋２とをそれぞれ接触させないことが重要であり、さまざまに変形可能である。図２は、第１の絶縁手段および第２の絶縁手段の形状について説明するための図であって、図１と同様に時計を側面から見たときの様子を模式的に示す断面図である。すでに説明した構成には同一の番号を付与している。
【００３８】
図２（ａ）は、外延部８の上下にＯリング４を２つ備える構成である。ここでいう外延部８の上とは時計外装１の図示しない報知手段側であり、下とは枠部材３側である。
第１の絶縁手段である外延部８の上側のＯリング４はすでに説明した構成と変わらないが、第２の絶縁手段である外延部８の下側のＯリング４は、ツバ５がない形状のものを用いている。この構成においては、ツバ５に代わり、絶縁シート９がツバ５の役割を果たしている。
【００３９】
裏蓋２と時計外装１との間の防水は、基本的に裏蓋２と時計外装１とが接する側のＯリング４で行うものであって、絶縁シート９は時計の防水性能の主要因ではない。しかし、本発明においては、ネジ機構部１０を高いトルクで締め付けることができるため、ネジ機構部１０にもいくらかの防水性能を持たせることができる。このとき、絶縁シート９の部分の防水性が低いと、この特性が活かされなくなってしまう。
このような理由から、外延部８と枠部材３とが接する側のＯリング４、すなわち、下側のＯリング４の部分は、このＯリング４と絶縁シート９とを組み合わせて防水性能を持たせるのである。もちろん、この下側のＯリング４にさらにツバ５を併用して用いてもかまわない。
【００４０】
図２（ｂ），図２（ｃ）は、時計外装１または裏蓋２（外延部８）に設けているＯリング４用の溝を設けない例である。この溝がない分、外延部８または時計外装１の強度が上がる。
このような構成は、時計外装１または裏蓋２のどちらかに強度的に劣る材質を使用する場合に、適するものである。
【００４１】
図２（ｄ）は、外延部８の上側の第１の絶縁手段において、ツバ５のない幅広なＯリング４を用いた例であり、Ｏリング４の幅方向が広くなるため、防水性が向上する。また、ツバ５を有するＯリング４より、外延部８または時計外装１に設けるＯリング４用の溝への挿入がしやすいことから、本発明の電波修正時計を製造しやすいという利点がある。
【００４２】
図２（ｅ）は、外延部８の上側の第１の絶縁手段において、ツバ５のないＯリング４を
用い、ツバ５の代わりに別体として絶縁シート９を用いた例である。この部分における防水性の設計において、Ｏリングとしての防水機能と絶縁シートとしての絶縁機能とをそれぞれ別個に設計できるため、特に防水性を高めたい場合に対応ができるという利点がある。
【００４３】
図２（ｂ）〜図２（ｅ）に示す例では、外延部８の上側の第１の絶縁手段の形状を説明するものであるが、これらの構成を外延部８の下側の第２の絶縁手段に適用してもよいことは、言うまでもない。
【００４４】
［裏蓋，枠部材，外延部の形状の説明：図３］
次に、外延部８の形状の異なる例を説明する。裏蓋２，枠部材３，外延部８の形状は、すでに説明した形状に限られるものではない。図３は、これらの形状を説明する図である。図１，図２と同様に、時計を側面から見たときの様子を模式的に示す断面図であり、すでに説明した構成には同一の番号を付与している。
【００４５】
図３（ａ）は、外延部８と枠部材３との接触面を斜めにしたものであり、図１，図２に示す構成のごとく、外延部８の断面をＬ字形状に加工する必要がないため、外延部８を容易に製造することができるという利点がある。
また、裏蓋側から時計を見たとき、絶縁シート９および絶縁シート９を挿入するための枠部材３と裏蓋２との隙間が枠部材３によって見えにくくなるため、時計としての美観を高めることができる。
しかし、この構成は、枠部材３が先細りになるため、すでに説明した構成に比べて強度的に低下する。これを防止するためには、枠部材３を強固な材質で構成すればよい。
【００４６】
図３（ｂ）は、枠部材３の裏蓋方向の端部を広げたものである。この構成においても、裏蓋側から時計を見たとき、絶縁シート９および絶縁シート９を挿入するための枠部材３と裏蓋２との隙間が枠部材３によって隠されるため、時計としての美観を高めることができる。
また、時計を裏蓋側から見たときの枠部材３の半径方向の幅が広くなるため、裏蓋２の開け閉めの際に枠部材３を締め付けやすくなり、メンテナンス性が向上する利点がある。
【００４７】
図３（ｃ）は、枠部材３を大型化し、枠部材３のネジ機構部１０を時計中心の方向に設けたものである。このようにすると、時計としての全体のサイズを変えることなく枠部材３を大型化することができて、枠部材３の強度、製造の容易さが向上する。
また、この構成においても時計を裏蓋側から見たときの枠部材３の半径方向の幅が広くなるため、裏蓋２の開け閉めの際に枠部材３を締め付けやすくなり、メンテナンス性が向上する利点がある。
【００４８】
以上説明した構成は、本発明の電波修正時計のデザインや機能、構成部材の形状に合わせて選択できるものである。
【００４９】
以上説明した構成は、カバー部材を裏蓋と例示したが、電池蓋としてもよい。もちろん、カバー部材を文字盤などの報知手段側に設ける風防ガラス、またはベゼルとしてもよい。要するに、カバー部材は、時計外装に設けている開口部を覆う部材すべてに適用することができる。
【産業上の利用可能性】
【００５０】
本発明の電波修正時計用は、裏蓋などのカバー部材と時計外装を金属で構成しても、電波修正時計として感度を落とすことがない。したがって、美観を要求される腕時計型の電波修正時計に好適である。
【図面の簡単な説明】
【００５１】
【図１】本発明の電波修正時計における裏蓋周辺の構造を説明するための断面図である。
【図２】本発明の電波修正時計における裏蓋周辺の別の構造を説明するための断面図である。
【図３】本発明の電波修正時計における裏蓋周辺のさらに別の構造を説明するための断面図である。
【図４】特許文献１に示した従来技術を説明するための断面図である。
【符号の説明】
【００５２】
１  時計外装
２  裏蓋
３  枠部材
４  Ｏリング
５  Ｏリングのツバ
８  外延部
９  絶縁シート
１０  ネジ機構部
【図１】
2008076327.tif 000003
【図２】
2008076327.tif 000004
【図３】
2008076327.tif 000005
【図４】
2008076327.tif 000006